(57)【要約】      （修正有）【課題】英語の演習問題の解答を記載した解答集と、英単語を記載した英単語集の双方を備え、効率良く英語学習を行うことができる学習用冊子を提供する。【解決手段】表表紙１２と英語の演習問題の解答が記載された複数の本文ページ２０を有する解答集１６と、裏表紙１４と英単語が記載された複数の本文ページ２２を有する英単語集１８とを積層した状態で綴じて構成した学習用冊子１０であって、解答集１６を構成する表表紙１２と本文ページ２０に記載された文字の天地及び読み進め方向と、英単語集１８を構成する裏表紙１４と本文ページ２２に記載された文字の天地及び読み進め方向を逆向きに表示した。【選択図】図１
0003229996.tif 000002
【実用新案登録請求の範囲】
【請求項１】
表表紙と英語の演習問題の解答が記載された本文ページを有する解答集と、裏表紙と英単語が記載された本文ページを有する英単語集とを積層した状態で綴じて構成した学習用冊子であって、上記解答集を構成する表表紙と本文ページに記載された文字の天地及び読み進め方向と、上記英単語集を構成する裏表紙と本文ページに記載された文字の天地及び読み進め方向とを逆向きに表示したことを特徴とする学習用冊子。
【考案の詳細な説明】
【技術分野】
【０００１】
この考案は学習用冊子に係り、特に、英語問題集に掲載された演習問題の解答を記載した解答集と、英単語を記載した英単語集の双方を備えた学習用冊子に関する。
【背景技術】
【０００２】
教育改革によって小学校での英語授業の必修化が開始される等、近年、グローバル社会に対応する人材を育成する等の観点から、英語教育が益々重要になっている。
【０００３】
英語の学習現場においては、教科書とは別に、理解度・達成度を計るため、多数の演習問題を集めて掲載した英語問題集と、当該英語問題集に掲載された演習問題の解答や解説を記載した解答集が用いられている。
また、各学年の新出英単語を学習するため、英単語を集めて記載した英単語集も利用されている。
【考案の概要】
【考案が解決しようとする課題】
【０００４】
ところで、演習問題の解答を記載した上記解答集と、英単語を集めて記載した上記英単語集は、それぞれ別個の冊子として構成されている。
このため、学習者が、演習問題の解答の確認を行う場合は解答集の冊子を準備し、また、新出英単語の学習を行う場合は単語集の冊子を準備する必要が有り、面倒であった。
【０００５】
この考案は、上記問題に鑑みて案出されたものであり、その目的は、英語の演習問題の解答を記載した解答集と、英単語を記載した英単語集の双方を備え、効率良く英語学習を行うことができる学習用冊子を提供することにある。
【課題を解決するための手段】
【０００６】
上記の目的を達成するため、本考案に係る学習用冊子は、
表表紙と英語の演習問題の解答が記載された本文ページを有する解答集と、裏表紙と英単語が記載された本文ページを有する英単語集とを積層した状態で綴じて構成した学習用冊子であって、上記解答集を構成する表表紙と本文ページに記載された文字の天地及び読み進め方向と、上記英単語集を構成する裏表紙と本文ページに記載された文字の天地及び読み進め方向とを逆向きに表示したことを特徴とする。
【考案の効果】
【０００７】
本考案に係る学習用冊子は、表表紙と英語の演習問題の解答が記載された本文ページを有する解答集と、裏表紙と英単語が記載された本文ページを有する英単語集とを積層した状態で綴じて構成しているので、単一の冊子で演習問題の解答確認と英単語の学習を行うことができる。
また、解答集を構成する表表紙と本文ページに記載された文字の天地及び読み進め方向と、英単語集を構成する裏表紙と本文ページに記載された文字の天地及び読み進め方向を逆向きに表示したことから、本考案の学習用冊子を上下逆さまに転倒させることにより、解答集と英単語集とを同じ方向へ開いて使用することができ、使いやすいものである。
【考案を実施するための形態】
【０００８】
以下、添付図面に基づいて、本考案に係る学習用冊子の実施形態を説明する。
図１は、本考案に係る学習用冊子10を示す斜視図、図２は、本考案に係る学習用冊子10の表表紙12を示す正面図、図３は、本考案に係る学習用冊子10の裏表紙14を示す正面図、図４は、本考案に係る学習用冊子10を構成する解答集16の本文ページ20を示す正面図  、図５は、本考案に係る学習用冊子10を構成する英単語集18の本文ページ22を示す正面図である。
【０００９】
本考案の学習用冊子10は、図示しない英語問題集に収載された英語の演習問題の解答を記載した解答集16と、小中学校等の各学年で学ぶ新出の英単語を集めて記載した英単語集18を備えて構成されている。
【００１０】
上記解答集16は、矩形状の表表紙12と、演習問題の解答が記載された複数の矩形状の本文ページ20（図４参照））を有している。
また、上記英単語集18は、矩形状の裏表紙14と、小中学校等の各学年で学ぶ新出の英単語が記載された複数の矩形状の本文ページ22（図５参照）を有している。
【００１１】
図１〜図５に示すように、上記解答集16を構成する表表紙12と本文ページ20に記載された文字の天地及び読み進め方向と、英単語集18を構成する裏表紙14と本文ページ22に記載された文字の天地及び読み進め方向とが、逆向きに表示されているものである。
【００１２】
すなわち、図１、図２及び図４に示すように、解答集16の表表紙12の文字「解答と解説」等、本文ページ20の文字「私は１２歳です。Ｉ’ｍ  ｔｗｅｌｖｅ」等は、各「文字」の天地が正しい正向きに表示され、また、文字の読み進め方向は、左から右方向、且つ、上から下方向に表示されている。
解答集16においては、表表紙12に最も近い本文ページ20が第１ページであり、裏表紙14側の本文ページ20に向かってページ番号が大きくなっていくものである。
【００１３】
尚、図４に示す解答集16の本文ページ20においては、図示しない英語問題集に収載された演習問題の問題文24が黒字で記載されていると共に、その解答26が赤字で記載されているものである。
例えば、図４において、「私は１２歳です。Ｉ’ｍ  ｔｗｅｌｖｅ」が黒字で記載された問題文24であり、その後に続く、「ｙｅａｒｓ  ｏｌｄ」が赤字で記載された解答26である。
上記の通り、演習問題の問題文24が黒字で記載される一方、解答26が赤字で記載されているので、問題文24及び解答26上に、図示しない透明又は半透明の赤色シートをを配置すると、問題文24は見える反面、解答26が見えなくなるので、図示しない英語問題集を用いること無く、解答集16だけを用いて復習や暗記を簡単に行うことができる。
【００１４】
一方、図１、図３及び図５に示すように、英単語集18の裏表紙14の文字「くりかえし単語集」等、本文ページ22の文字「単語チェック  小学校の英語」等は、各「文字」の天地が転倒して表示され、また、文字の読み進め方向は、右から左方向、且つ、下から上方向に表示されている。
英単語集18においては、裏表紙14に最も近い本文ページ22が第１ページであり、表表紙12側の本文ページ22に向かってページ番号が大きくなっていくものである。
【００１５】
尚、図５に示す英単語集18の本文ページ22において、英単語28が赤字で記載されていると共に、その和訳30が黒字で記載されているものである。
例えば、図５において、天地が転倒して表示された「ｂａｔ」が赤字で記載された英単語28であり、天地が転倒して表示された「バット」が黒字で表示された和訳30である。
上記の通り、英単語28が赤字で記載される一方、和訳30が黒字で記載されているので、英単語28及び和訳30上に、図示しない透明又は半透明の赤色シートをを配置すると、和訳30は見える反面、英単語28が見えなくなるので、英単語28の暗記学習を効率的に行うことができる。
【００１６】
図１に示すように、表表紙12及び複数の本文ページ20を有する上記解答集16と、裏表紙14及び複数の本文ページ22を有する上記英単語集18とを積層した状態で、側端（解答集16の表表紙12及び本文ページ20の左側端と、英単語集18の裏表紙14及び本文ページ22の右側端）を糊付け等によって綴じることにより、本考案の学習用冊子10が構成される。
【００１７】
本考案に係る学習用冊子10において、解答集16を使用する場合には、図１に示す状態において、表表紙12及び本文ページ20を左開きしながら使用していく。
一方、英単語集18を使用する場合には、図６に示すように、本考案に係る学習用冊子10を上下逆さまに転倒させた状態で、裏表紙14及び本文ページ22を左開きしながら使用していくのである。
【００１８】
本考案に係る学習用冊子10は、表表紙12と英語の演習問題の解答26が記載された複数の本文ページ20を有する解答集16と、裏表紙14と英単語28が記載された複数の本文ページ22を有する英単語集18とを積層した状態で綴じて構成しているので、単一の冊子で演習問題の解答確認と英単語の学習を行うことができる。
また、解答集16を構成する表表紙12と本文ページ20に記載された文字の天地及び読み進め方向と、英単語集18を構成する裏表紙14と本文ページ22に記載された文字の天地及び読み進め方向を逆向きに表示したことから、上下逆さまに転倒させることにより、解答集16と英単語集18とを同じ方向へ開いて使用することができ、使いやすいものである。
【図面の簡単な説明】
【００１９】
【図１】本考案に係る学習用冊子を示す斜視図
【図２】本考案に係る学習用冊子の表表紙を示す正面図
【図３】本考案に係る学習用冊子の裏表紙を示す正面図
【図４】本考案に係る学習用冊子を構成する解答集の本文ページを示す正面図
【図５】本考案に係る学習用冊子を構成する英単語集の本文ページを示す正面図
【図６】本考案に係る学習用冊子を上下逆さまに転倒した状態の斜視図
【符号の説明】
【００２０】
10  学習用冊子
12  表表紙
14  裏表紙
16  解答集
18  英単語集
20  解答集の本文ページ
22  英単語集の本文ページ
24  問題文
26  解答
28  英単語
30  和訳
【図１】
0003229996.tif 000003
【図２】
0003229996.tif 000004
【図３】
0003229996.tif 000005
【図４】
0003229996.tif 000006
【図５】
0003229996.tif 000007
【図６】
0003229996.tif 000008